(57)【要約】【課題】表示パネルの周縁部における表示パネルへの光漏れを抑制することができる表示装置及びテレビ受像機を提供する。【解決手段】遮光シート４１が、表示パネル２１の背面２１２の周縁下辺部２１ａと、周縁下辺部２１ａからＬＥＤ基板２６の前側端部までの空間Ｓとを覆っている。また、遮光凸部３４が、前枠部３１１の内面から導光板２３の正面２３ａの周縁下辺部までの範囲を閉鎖している。このため、ＬＥＤ２５，２５，…から放射された光の内、導光板２３の下端面２３ｂから導光板２３の内部に入射しなかった光は、遮光シート４１又は遮光凸部３４に遮蔽されるため、表示パネル２１の内部には入射しない。【選択図】図３
2013079992.tif 000002
【特許請求の範囲】
【請求項１】
正面側に表示面を有する表示パネルと、
該表示パネルの背面側に配置してあり、一側端面から内部に入射した光を正面から出射する導光板と、
前記一側端面に対向配置してある光源と
を備える表示装置において、
前記表示パネルの背面における前記光源の側の周縁部を覆う遮光シート
を備えることを特徴とする表示装置。
【請求項２】
前記光源が実装されている非透光性の基板を更に備え、
該基板と前記光源の側の周縁部との間に空間を有し、
前記遮光シートは、前記空間を覆うように配置してあることを特徴とする請求項１に記載の表示装置。
【請求項３】
前記表示面の周縁部を囲繞するキャビネットと、
該キャビネットから前記導光板の側へ前記空間を貫いて突出しており、前記光源の側の周縁部の周縁方向に沿って並設されている複数個の遮光凸部と
を更に備え、
前記遮光シートには、前記複数個の遮光凸部に対応する複数個の挿入孔が設けられており、
前記遮光シートは、前記挿入孔に前記遮光凸部が挿入されていることを特徴とする請求項２に記載の表示装置。
【請求項４】
前記遮光凸部に、該遮光凸部の突設方向に交差する方向に窪んだ凹部が設けられており、
前記挿入孔の開口縁部に、前記凹部に係合する係合部が設けられていることを特徴とする請求項３に記載の表示装置。
【請求項５】
前記遮光凸部は前記キャビネットに一体に設けられており、
前記凹部は溝状になしてあることを特徴とする請求項４に記載の表示装置。
【請求項６】
前記光源が発生させる熱を外部へ放出すべく、前記基板に取り付けられている放熱部材と、
該放熱部材に接着されている絶縁シートと
を更に備え、
前記遮光シートは絶縁シートに一体に設けられていることを特徴とする請求項２から５の何れかひとつに記載の表示装置。
【請求項７】
請求項１から６の何れかひとつに記載の表示装置と、
テレビジョン信号を受信する受信部と
を備え、
前記表示装置は、前記受信部が受信したテレビジョン信号に基づく映像を表示するようにしてあることを特徴とするテレビ受像機。
【発明の詳細な説明】
【技術分野】
【０００１】
本発明は、光源から放射された光によって表示パネルが照明される表示装置、及びこの表示装置を備えるテレビ受像機に関する。
【背景技術】
【０００２】
液晶表示装置は、液晶表示パネルとバックライトとを備えている。バックライトは、液晶表示パネルの背面側から液晶表示パネルを照明する。
エッジライト方式のバックライトは、液晶表示パネルの背面側に、光学シート群を介して導光板を配置し、導光板の一側端面（例えば下側端面）に、ＬＥＤを対向配置してなる（特許文献１参照）。
ＬＥＤから放射された光は、導光板によって液晶表示パネルの背面側へ導かれ、光学シート群による拡散及び集光等を経て、液晶表示パネルの内部に入射する。この結果、液晶表示パネルの表示面が均一に明るくなる。
【０００３】
導光板の一側方（例えば下側方）には、プリント基板が配されている。プリント基板と液晶表示パネルとは、ＳＯＦ（System On Film）によって接続されている。ＳＯＦはフィルム状の基板であり、ＳＯＦには液晶表示パネルの表示面に映像を表示させるためのドライバＬＳＩが実装されている。
液晶表示パネル、バックライト、プリント基板、及びＳＯＦは、前キャビネットと後キャビネットとを用いてなる筐体に収容されている。
【先行技術文献】
【特許文献】
【０００４】
【特許文献１】特開２００１−１１７０９７号公報
【発明の概要】
【発明が解決しようとする課題】
【０００５】
ＬＥＤから放射された光が、光学シート群を介さず液晶表示パネルの内部に入射する現象（以下、光漏れという）が生じた場合、表示面の一部分が他部分よりも無用に明るくなる。この結果、表示面に表示されている映像の画質が劣化する。
光漏れの原因は、液晶表示パネルの背面の周縁部が光学シート群に被覆されていないこと、及び、ＬＥＤと液晶表示パネルとの間に、光が通過し得る空間（以下、漏光空間という）が存在すること等である。このため、ＬＥＤから放射された光の一部が、導光板の内部に入射せずに漏光空間を通り、直接的に、又は前キャビネットの内面及び導光板の正面等で反射することによって、液晶表示パネルの内部に入射する。
【０００６】
特許文献１に記載の液晶表示装置は、ＬＥＤから放射された光を導光板側へ反射する反射板と、両面粘着シート状の遮光部材とを更に備える。反射板の端縁は、遮光部材によって、導光板の端縁に固定されている。反射板及び遮光部材は、漏光空間を閉鎖している。このため、導光板の内部に入射しなかった光は、反射板にて反射するか、又は、遮光部材にて反射若しくは吸収等される。
また、従来の他の液晶表示装置には、液晶表示パネルが取り付けられるパネルシャーシを更に備え、光学シート群、導光板、及びＬＥＤをパネルシャーシで覆う構成のものがある。パネルシャーシは、漏光空間を閉鎖している。このため、ＬＥＤから放射された光は、導光板の内部及び光学シート群を介さない限り、液晶表示パネルの内部に入射することができない。
【０００７】
ところで、近年、表示装置の薄型化、狭額縁化を図るべく部品点数が削減されている。反射板又はパネルシャーシを削減した場合、光漏れを抑制することができない。
【０００８】
本発明は斯かる事情に鑑みてなされたものであり、その主たる目的は、薄型化及び狭額縁化を図りつつ、表示パネルの周縁部における表示パネルへの光漏れを抑制することができる表示装置、及びこの表示装置を備えるテレビ受像機を提供することにある。
【課題を解決するための手段】
【０００９】
本発明に係る表示装置は、正面側に表示面を有する表示パネルと、該表示パネルの背面側に配置してあり、一側端面から内部に入射した光を正面から出射する導光板と、前記一側端面に対向配置してある光源とを備える表示装置において、前記表示パネルの背面における前記光源の側の周縁部を覆う遮光シートを備えることを特徴とする。
【００１０】
本発明に係る表示装置は、前記光源が実装されている非透光性の基板を更に備え、該基板と前記光源の側の周縁部との間に空間を有し、前記遮光シートは、前記空間を覆うように配置してあることを特徴とする。
【００１１】
本発明に係る表示装置は、前記表示面の周縁部を囲繞するキャビネットと、該キャビネットから前記導光板の側へ前記空間を貫いて突出しており、前記光源の側の周縁部の周縁方向に沿って並設されている複数個の遮光凸部とを更に備え、前記遮光シートには、前記複数個の遮光凸部に対応する複数個の挿入孔が設けられており、前記遮光シートは、前記挿入孔に前記遮光凸部が挿入されていることを特徴とする。
【００１２】
本発明に係る表示装置は、前記遮光凸部に、該遮光凸部の突設方向に交差する方向に窪んだ凹部が設けられており、前記挿入孔の開口縁部に、前記凹部に係合する係合部が設けられていることを特徴とする。
【００１３】
本発明に係る表示装置は、前記遮光凸部は前記キャビネットに一体に設けられており、前記凹部は溝状になしてあることを特徴とする。
【００１４】
本発明に係る表示装置は、前記光源が発生させる熱を外部へ放出すべく、前記基板に取り付けられている放熱部材と、該放熱部材に接着されている絶縁シートとを更に備え、前記遮光シートは絶縁シートに一体に設けられていることを特徴とする。
【００１５】
本発明に係るテレビ受像機は、本発明に係る表示装置と、テレビジョン信号を受信する受信部とを備え、前記表示装置は、前記受信部が受信したテレビジョン信号に基づく映像を表示するようにしてあることを特徴とする。
【００１６】
本発明にあっては、表示装置は、表示パネル、光源、導光板、及び遮光シートを備える。
光源は、導光板の一側端面に対向配置されている。このため、光源から放射された光の一部は、導光板の一側端面から導光板の内部に入射し、導光板の正面から出射されることによって、表示パネルの背面側へ導かれる。
光源から放射された光の他の一部が、導光板の内部を通過せずに表示パネルへ入射しようとしても、遮光シートによって遮蔽される。従って、光漏れが抑制される。
【００１７】
何故ならば、遮光シートは、表示パネルの背面の周縁部の内、光源側の周縁部（以下、光源側周縁部という）を覆うからである。表示パネルの背面の光源側周縁部は、ここから表示パネルの内部に光が入射することによって、最も強く光漏れが生じる部分である。
なお、表示パネルの背面における光源側周縁部のみならず、光源側周縁部以外の周縁部も遮光シートで覆う場合には、例えば導光板の一側端面以外の端面から出射した光による光漏れを抑制することが可能である。
【００１８】
本発明にあっては、表示装置は、非透光性の基板を更に備える。
基板は非透光性であるため、基板を透過した光が表示パネルの内部に入射する虞はない。遮光シートは、表示パネルの背面の光源側周縁部を覆うのみならず、光源側周縁部と基板との間の空間をも覆う。この空間は、遮光シートが存在しないときには漏光空間となる。つまり、遮光シート及び基板は、光源と表示パネルとの間の漏光空間を覆う。
【００１９】
仮に、遮光シートが表示パネルの背面の光源側周縁部のみを覆う場合、無用な光が、例えば表示パネルの周縁端面の内、光源側の周縁端面から、表示パネルの内部へ入射する可能性が否定できない。
以上のことから、本発明に係る表示装置は、更に確実に光漏れを抑制することができる。
【００２０】
本発明にあっては、表示装置は、キャビネット及び複数個の遮光凸部を更に備える。
このキャビネットは、例えば前キャビネットであり、少なくとも表示パネルの表示面の周縁部を囲繞する。
各遮光凸部は、キャビネットから導光板側へ突出している。また、各遮光凸部は、光源側周縁部と基板との間の空間、即ち漏光空間となり得る空間を貫いている。従って、各遮光凸部が設けられている部分に関しては、漏光空間が閉鎖されるため、光漏れが抑制される。
複数個の遮光凸部は、光源側周縁部の周縁方向に沿って並設されている。このため、遮光凸部間に他の部材（例えばＳＯＦ）を配することが可能である。
【００２１】
遮光シートに設けられている各挿入孔には、対応する遮光凸部が挿入される。
従って、例えば表示装置の製造者が所定位置に遮光シートを取り付ける際に、遮光シートの挿入孔に、キャビネットの遮光凸部を挿入することによって、遮光シートを容易に位置決めすることができる。また、遮光シートは遮光凸部に支持されるため、遮光シートを、例えば表示パネルに敢えて接着する必要がない。以上の結果、遮光シートの取付作業は簡易且つ低コストである。しかも、遮光シートの表面に、遮光シートを例えば表示パネルに接着するための接着層を形成する必要がないため、遮光シートの薄型化を図ることができる。
【００２２】
遮光シートの各挿入孔は、遮光凸部によって閉鎖されるため、各挿入孔が漏光空間として機能することはない。
遮光凸部間は、遮光シートによって閉鎖されるため、遮光凸部間が漏光空間として機能することはない。
【００２３】
本発明にあっては、遮光凸部に凹部が設けられており、各挿入孔の開口縁部に係合部が設けられている。
仮に、凹部又は係合部が存在しない場合、キャビネットの遮光凸部は、遮光シートの挿入孔に単純に挿入されるだけである。このため、例えば表示装置の製造時又は保守点検時等に、風が吹く、又は作業者の手が当接する等の外力が加えられることによって、遮光シートの位置ズレ又は脱落等が生じる虞がある。
しかしながら、キャビネットの遮光凸部が遮光シートの挿入孔に挿入されると共に、係合部が凹部に係合すれば、遮光シートの取り付けの際に遮光シートが位置決めされ、しかも、取り付けられた遮光シートが無用に脱落することが抑制される。
【００２４】
本発明にあっては、遮光凸部に設けられている凹部は溝状になしてある。このため、遮光凸部を一体に有するキャビネットを例えば押出成形によって形成する場合に、キャビネットの素材である金属又は合成樹脂等を金型から押し出す方向にその長手方向が沿う溝状の凹部を形成することができる。この結果、凹部が設けられていない遮光凸部を有するキャビネットを形成した後で、遮光凸部に凹部を追加する場合に比べて、表示装置を容易に製造することができる。
【００２５】
本発明にあっては、表示装置は、放熱部材及び絶縁シートを更に備える。
放熱部材は、光源が実装されている基板に取り付けられている。放熱部材は、光源が発生させ、基板を介して伝導した熱を、外部へ放出する。
一般に、放熱部材は金属製である。このため、放熱部材と、表示装置が備える電気部品（例えばＳＯＦに接続されているプリント基板）との接触時に電気的な短絡が生じることがないよう、絶縁シートが放熱部材に接着されている。
たとえ放熱部材及び／又は絶縁シートが透光性を有していたとしても、基板が非透光性であるため、放熱部材及び／又は絶縁シートを透過した光が表示パネルの内部に入射する虞はない。
【００２６】
遮光シートは、絶縁シートに一体に設けられている。従って、遮光シートを、例えば表示パネルに敢えて接着する必要がない。また、放熱部材に対して絶縁シートが正確に位置決めされ、且つ、放熱部材が所定位置に正確に取り付けられるのであれば、遮光シートそのものの位置決め及び取り付けを不要にすることが可能である。また、以上の結果、遮光シートの取付作業は簡易且つ低コストである。しかも、遮光シートの表面に、遮光シートを例えば表示パネルに接着するための接着層を形成する必要がないため、遮光シートの薄型化を図ることができる。
【００２７】
本発明にあっては、テレビ受像機は、本発明に係る表示装置と受信部とを備える。
本発明に係る表示装置においては、光漏れが抑制されている。従って、受信部が受信したテレビジョン信号に基づく映像を表示する場合に、表示された映像の画質が、光漏れによって劣化する虞はない。
【発明の効果】
【００２８】
本発明の表示装置及びテレビ受像機による場合、従来の液晶表示装置が備えているような反射板及び遮光部材、又はパネルシャーシ等を備えていない構成であっても、光漏れを抑制することができる。何故ならば、表示パネルへ入射しようとする無用な光を、表示パネルの背面の光源側周縁部を覆う遮光シートが遮蔽するからである。
遮光シートは、従来の反射板及び遮光部材、又はパネルシャーシ等に比べて軽量、小型、又は薄型の部材として構成することができるため、表示装置及びテレビ受像機の薄型化及び狭額縁化を阻害することはない。
【図面の簡単な説明】
【００２９】
【図１】本発明の実施の形態１に係るテレビ受像機の外観を示す斜視図である。
【図２】本発明の実施の形態１に係る表示装置の構成を模式的に示す凸部突設位置の縦断面図である。
【図３】本発明の実施の形態１に係る表示装置の構成を模式的に示す凸部非突設位置の縦断面図である。
【図４】本発明の実施の形態１に係る表示装置が備える前キャビネットの一部分の構成を示す拡大背面図である。
【図５】本発明の実施の形態１に係る表示装置が備える前キャビネットの一部分の構成を示す拡大斜視図である。
【図６】本発明の実施の形態１に係る表示装置が備える前キャビネットにパネルユニットを取り付けた状態を示す拡大斜視図である。
【図７】本発明の実施の形態１に係る表示装置が備える前キャビネットに対する遮光シートの取り付けを説明するための拡大背面図である。
【図８】本発明の実施の形態１に係る表示装置が備える前キャビネットに対する遮光シートの取り付けを説明するための拡大斜視図である。
【図９】本発明の実施の形態１に係る表示装置が備える前キャビネットに遮光シートを取り付けた状態を示す拡大背面図である。
【図１０】本発明の実施の形態１に係る表示装置が備える前キャビネットに遮光シートを取り付けた状態を示す拡大斜視図である。
【図１１】本発明の実施の形態１に係る表示装置が備える前キャビネットに対するＬＥＤユニットの取り付けを説明するための拡大斜視図である。
【図１２】本発明の実施の形態１に係る表示装置が備える前キャビネットにＬＥＤユニットを取り付けた状態を示す拡大斜視図である。
【図１３】本発明の実施の形態１に係る表示装置が備える遮光シートの作用効果を説明するための凸部突設位置の縦断面図である。
【図１４】本発明の実施の形態１に係る表示装置が備える遮光シートの作用効果を説明するための凸部非突設位置の縦断面図である。
【図１５】本発明の実施の形態２に係る表示装置が備える前キャビネットの一部分の構成を示す拡大斜視図である。
【図１６】本発明の実施の形態２に係る表示装置が備える遮光凸部の一部分の構成を示す拡大斜視図である。
【図１７】本発明の実施の形態２に係る表示装置が備える遮光シートの構成を示す背面図である。
【図１８】本発明の実施の形態２に係る表示装置が備える遮光シートの一部分の構成を示す拡大背面図である。
【図１９】本発明の実施の形態２に係る表示装置が備える遮光シートの挿入孔の構成を示す拡大背面図である。
【図２０】本発明の実施の形態２に係る表示装置が備える遮光シートの他の挿入孔の構成を示す拡大背面図である。
【図２１】本発明の実施の形態３に係る表示装置の構成を模式的に示す凸部突設位置の縦断面図である。
【図２２】本発明の実施の形態３に係る表示装置の構成を模式的に示す凸部非突設位置の縦断面図である。
【図２３】本発明の実施の形態３に係る表示装置が備える前キャビネットの一部分の構成を示す拡大背面図である。
【図２４】本発明の実施の形態３に係る表示装置が備える前キャビネットの一部分の構成を示す拡大斜視図である。
【図２５】本発明の実施の形態３に係る表示装置が備える前キャビネットにパネルユニットを取り付けた状態を示す拡大背面図である。
【図２６】本発明の実施の形態３に係る表示装置が備える前キャビネットにパネルユニットを取り付けた状態を示す拡大斜視図である。
【図２７】本発明の実施の形態３に係る表示装置が備えるヒートシンクに対するシート部材の取り付けを説明するための拡大斜視図である。
【図２８】本発明の実施の形態３に係る表示装置が備えるヒートシンクにシート部材を取り付けた状態を示す拡大斜視図である。
【図２９】本発明の実施の形態３に係る表示装置が備える前キャビネットに対するＬＥＤ遮光ユニットの取り付けを説明するための拡大斜視図である。
【図３０】本発明の実施の形態３に係る表示装置が備える前キャビネットにＬＥＤ遮光ユニットを取り付けた状態を示す拡大背面図である。
【図３１】本発明の実施の形態３に係る表示装置が備える前キャビネットにＬＥＤ遮光ユニットを取り付けた状態を示す拡大斜視図である。
【発明を実施するための形態】
【００３０】
以下、本発明を、その実施の形態を示す図面に基づいて詳述する。
【００３１】
実施の形態  １．
図１は、本発明の実施の形態１に係るテレビ受像機１の外観を示す斜視図である。
図２及び図３は、本発明の実施の形態１に係る表示装置１０の構成を模式的に示す縦断面図である。ただし、図２は、各後述する遮光凸部３４及び位置決め凸部４２３が突設されている位置（即ち凸部突設位置）における断面を示し、図３は、遮光凸部３４及び位置決め凸部４２３が突設されていない位置（即ち凸部非突設位置）における断面を示している。また、図２及び図３は、各後述する受信部１１、信号処理部１２、及び後キャビネット３２等の図示を省略してある。図２及び図３に示す矢符は、光の方向を表わしている。
【００３２】
以下では、図２及び図３の左側及び右側を、表示装置１０（延いてはテレビ受像機１）の前側及び後側、又は正面側及び背面側という。また、図２及び図３の紙面垂直方向は、表示装置１０の左右方向である。以下では、図２及び図３の紙面垂直方向の手前側及び奥側を、表示装置１０の左側及び右側という。
図４及び図５は、前キャビネット３１（後述）の一部分の構成を示す拡大背面図及び拡大斜視図である。具体的には、図４及び図５には、前キャビネット３１の左下角部が示されている。
図６は、前キャビネット３１にパネルユニット（後述）を取り付けた状態を示す拡大斜視図である。図６には、図５に示す前キャビネット３１にパネルユニットが取り付けられた状態が示されている。
【００３３】
図７及び図８は、前キャビネット３１に対する遮光シート４１（後述）の取り付けを説明するための拡大背面図及び拡大斜視図である。図７には、図４に示す前キャビネット３１にパネルユニットが取り付けられ、そこへ遮光シート４１が取り付けられる状態が示されている。図８には、図６に示す前キャビネット３１へ遮光シート４１が取り付けられる状態が示されている。
図９及び図１０は、前キャビネット３１に遮光シート４１を取り付けた状態を示す拡大背面図及び拡大斜視図である。図９及び図１０には、図７及び図８に示す前キャビネット３１に遮光シート４１が取り付けられた状態が示されている。
【００３４】
図１１は、前キャビネット３１に対するＬＥＤユニット（後述）の取り付けを説明するための拡大斜視図である。図１１には、パネルユニットが取り付けられている前キャビネット３１（図６参照）とＬＥＤユニットとが示されている。
図１２は、前キャビネット３１にＬＥＤユニットを取り付けた状態を示す拡大斜視図である。図１２には、図１１に示す前キャビネット３１に、遮光シート４１及びＬＥＤユニットが取り付けられた状態が示されている。
【００３５】
まず、図１を参照しつつ、テレビ受像機１の構成を説明する。
テレビ受像機１は、表示装置１０、受信部１１、信号処理部１２、及びスタンド１３を備えている。
表示装置１０は、矩形状の表示パネル２１と、筐体１００とを備えている。筐体１００の前部（及び後部）は、矩形枠状の前キャビネット３１（及び矩形トレイ状の後キャビネット３２）を用いてなる。
受信部１１及び信号処理部１２は、筐体１００に内蔵されている。なお、受信部１１及び信号処理部１２は、表示装置１０に外付けされていてもよい。
【００３６】
表示装置１０は、受信部１１が受信したテレビジョン信号に基づく映像を表示する。このために、受信部１１は、図示しないアンテナを介して、外部からテレビジョン信号を受信し、信号処理部１２は、受信部１１が受信したテレビジョン信号に所定の信号処理を施すことによって、映像データを出力する。
表示パネル２１は、正面側に表示面２１１を有する。そして、表示パネル２１は、信号処理部１２が出力した映像データに基づく映像を、表示面２１１に表示する。
スタンド１３は、表示装置１０の下部に設けられており、縦姿勢の表示装置１０を支持する。
【００３７】
前キャビネット３１はアルミニウムを用いて押出成形してなり、その中央部に矩形状の開口３１ａを有する。
後キャビネット３２は、例えば電気亜鉛めっき鋼板からなる。
前キャビネット３１及び後キャビネット３２の上下及び左右寸法は略同じであり、互いの周縁部分が対向している。
【００３８】
表示パネル２１は、液晶表示パネルを用いてなる。表示パネル２１は、表示面２１１の中央部に位置する有効表示領域が開口３１ａから露出するように、縦姿勢で筐体１００に収容されている。表示パネル２１の縦横（即ち上下方向及び左右方向）の寸法は、開口３１ａの縦横の寸法よりも若干大きい。故に、前キャビネット３１は、表示パネル２１の表示面２１１の周縁部を囲繞している。
前キャビネット３１は、本発明の実施の形態におけるキャビネットとして機能する。
【００３９】
次に、表示装置１０の構成を詳述する。以下では、主に前キャビネット３１の周縁部の内、下辺部（以下、周縁下辺部という）の近傍の構成について説明する。
まず、図２〜図５を参照しつつ、前キャビネット３１の構成を更に説明する。
前キャビネット３１は、前枠部３１１及び突出枠部３１２を備えている。
前枠部３１１は、中央部に開口３１ａが形成された矩形板状になしてあり、前枠部３１１の前面は露出している（即ち外面である）。
【００４０】
前枠部３１１の後面（即ち前枠部３１１の内面）における開口３１ａの開口縁部（即ち前枠部３１１の内縁部分）には、表示パネル２１の損傷を抑制するための弾性部材３３が、前枠部３１１の周縁方向に沿って連続的又は断続的に配置してある。ただし、図４及び図５における弾性部材３３の図示は省略してある。
【００４１】
前枠部３１１の内面の上下方向中央部分には、前枠部３１１の周縁下辺部の周縁方向（具体的には左右方向）に並設された複数個の遮光凸部３４，３４，…と、長手方向が左右方向に沿う位置決め溝３５とが備えられている。遮光凸部３４，３４，…は、弾性部材３３よりも下側（換言すれば、弾性部材３３よりも前枠部３１１の外縁側）に位置し、位置決め溝３５は遮光凸部３４，３４，…よりも更に下側に位置している。
位置決め溝３５は、後述するヒートシンク４２の位置決めに用いられる。
【００４２】
各遮光凸部３４は、前枠部３１１の内面から後方向へ、即ち前キャビネット３１から後述する導光板２３側へ、後述する空間Ｓを貫いて突出している。各遮光凸部３４の横断面形状は矩形状である。
突出枠部３１２は、前枠部３１１の外縁部分から後側へ突出している。
ここで、前キャビネット３１の製造について説明する。まず、前枠部３１１、突出枠部３１２、遮光凸部３４，３４，…となすべき凸条部、及び位置決め溝３５が、押出成形によって、一体に形成される。次いで、形成された凸条部を部分的に切削し、複数個に分割することによって、遮光凸部３４，３４，…が形成される。この結果、前キャビネット３１が製造される。
【００４３】
次に、図２と図３と図６とを参照しつつ、パネルユニットの構成を説明する。ここでは、表示パネル２１、光学シート群２２、ＳＯＦ２７，２７，…、及びプリント基板２８，２８，…のひとまとまりをパネルユニットという。
【００４４】
表示パネル２１は、後述するエッジライト方式のバックライトによって、表示パネル２１の背面２１２側から照明される。表示パネル２１は表示面２１１側のガラス板と背面２１２側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１１に映像が表示される。
【００４５】
バックライトは、光学シート群２２、導光板２３、反射シート２４、ＬＥＤ２５，２５，…、及びＬＥＤ基板２６を用いて構成される。光学シート群２２については次に説明し、これ以外については更に後で述べる。
【００４６】
光学シート群２２は、表示パネル２１の背面２１２の中央部に密着配置されている。光学シート群２２の縦横の寸法は、表示パネル２１の背面２１２の縦横の寸法よりも小さい。このため、光学シート群２２は、表示パネル２１の周縁部を被覆していない。ただし、光学シート群２２の縦横の寸法は、表示パネル２１の有効表示領域の縦横の寸法より大きい。つまり、光学シート群２２は、表示パネル２１の有効表示領域を、背面２１２側から覆っている。
光学シート群２２は、光の拡散機能を有する光学シート及び集光機能を有する光学シート等、複数枚の光学シートが積層されてなる。
なお、光学シート群２２に替えて、光の拡散機能及び集光機能等、複数種類の機能を有する１枚の光学シートが表示パネル２１に密着配置されていてもよい。
【００４７】
複数枚のＳＯＦ２７，２７，…は、表示パネル２１の周縁下辺部２１ａの周縁方向（具体的には左右方向）に沿って並置されている。各ＳＯＦ２７は、上端部が表示パネル２１に接続されて、周縁下辺部２１ａから垂下している。
各ＳＯＦ２７の下端部は後側へ折り曲げられて、複数枚のプリント基板２８，２８，…の内、何れかひとつのプリント基板２８に接続されている。また、各ＳＯＦ２７の背面には、ドライバＬＳＩ２７１が実装されている。ドライバＬＳＩ２７１は、信号処理部１２が出力した映像データに基づいて、適宜の電圧を表示パネル２１の液晶に印加する。この結果、表示パネル２１の透過率が変化する。ただし、図２及び図３におけるドライバＬＳＩ２７１の図示は省略してある。
各プリント基板２８は、横長の矩形板状になしてある。
【００４８】
パネルユニットは、表示パネル２１の表示面２１１の周縁部が弾性部材３３に接触するようにして、前キャビネット３１に後方から取り付けられる。
このとき、表示パネル２１の周縁下辺部２１ａの周縁方向は、前枠部３１１の周縁下辺部の周縁方向に沿い、これらは共に左右方向である。また、このとき、ＳＯＦ２７，２７，…は、遮光凸部３４，３４，…間に配される。即ち、ＳＯＦ２７と遮光凸部３４とが左右方向に交互に配される。各プリント基板２８は、その下面が突出枠部３１２の上面（即ち内面）側に向くようにして、左右方向に沿う横姿勢に配される。このとき、複数枚のプリント基板２８，２８，…は左右方向に並置される。
【００４９】
次に、図２、図３、及び図７〜図１０を参照しつつ、遮光シート４１の構成を説明する。
遮光シート４１は、横長の矩形シート状になしてあり、ポリカーボネートを用いてなる。なお、遮光シート４１は、ポリカーボネートを用いてなる構成に限定されず、例えば紙製でもよい。
遮光シート４１の色は黒であるが、光を透過させ難い色であれば、黒に限定されない。
【００５０】
遮光シート４１は、表示パネル２１の背面２１２の周縁下辺部２１ａと、周縁下辺部２１ａから後述するＬＥＤ基板２６の前側端部までの空間Ｓとを覆う。周縁下辺部２１ａは、本発明の実施の形態における光源の側の周縁部として機能する。
ここで、表示パネル２１の背面２１２の周縁下辺部２１ａとは、背面２１２における後述するＬＥＤ２５，２５，…側の周縁部である。周縁下辺部２１ａの周縁方向は、左右方向に沿う。つまり、遮光凸部３４，３４，…は、周縁下辺部２１ａの周縁方向に沿って並設されている。
【００５１】
遮光シート４１は、表示パネル２１の背面２１２の周縁下辺部２１ａの内、背面２１２が露出している部分（即ち光学シート群２２に覆われていない部分）を可及的広く覆うことが望ましい。従って、遮光シート４１の上端部は、光学シート群２２の下端部に可及的接近配置されることが望ましい。
遮光シート４１には、各矩形状の複数個の挿入孔４１１，４１１，…が、遮光シート４１の長手方向に並設されている。挿入孔４１１，４１１，…の開口位置は、前キャビネット３１の遮光凸部３４，３４，…の突設位置に対応する。
【００５２】
遮光シート４１は、縦姿勢で前キャビネット３１に後方から取り付けられる。更に詳細には、遮光シート４１は、挿入孔４１１，４１１，…に遮光凸部３４，３４，…が挿入されることによって、遮光凸部３４，３４，…に支持される。このとき、遮光シート４１の前面の上端部は、表示パネル２１の背面２１２の周縁下辺部２１ａに接触する。
【００５３】
ここで、各挿入孔４１１の縦横の寸法は、対応する遮光凸部３４の縦横の寸法よりも僅かに長い。仮に、挿入孔４１１の縦横の寸法が挿入孔４１１の縦横の寸法以下である場合、遮光凸部３４を挿入孔４１１に挿入することができなかったり、遮光凸部３４を挿入孔４１１に無理矢理挿入することによって、遮光シート４１に歪み又は損傷等が生じたりする虞がある。逆に、挿入孔４１１の縦横の寸法が挿入孔４１１の縦横よりも過剰に長い場合には、挿入孔４１１を通して、後述するような光漏れが生じる虞がある。
【００５４】
次に、図２、図３、図１１、及び図１２を参照しつつ、ＬＥＤユニットの構成を説明する。ここでは、ＬＥＤ２５，２５，…、ＬＥＤ基板２６、ヒートシンク４２、及び絶縁シート４３のひとまとまりをＬＥＤユニットという。
ＬＥＤ基板２６は、非透光性を有し、横長の矩形板状になしてある。ＬＥＤ基板２６の一面には、ＬＥＤ基板２６の長手方向に並置された複数個のＬＥＤ２５，２５，…が実装されている。
ＬＥＤ２５，２５，…及びＬＥＤ基板２６は、本発明の実施の形態における光源及び基板として機能する。なお、ＬＥＤ２５，２５，…に替えて、電球、熱陰極蛍光灯、ＥＬ（Electro Luminescence）、又は冷陰極管等が備えられていてもよい。
【００５５】
絶縁シート４３は、横長の矩形シート状になしてあり、ポリカーボネートを用いてなる。
ヒートシンク４２は金属製であり、横長の棒状、且つ縦断面形状が倒立Ｌ字状になしてある。ヒートシンク４２は、一側が横姿勢に配された矩形板状の基板載置部４２１であり、他側が縦姿勢に配された矩形板状の筐体取付部４２２である。なお、ヒートシンク４２は合成樹脂製でもよい。
基板載置部４２１には、ＬＥＤ基板２６が固定的に載置されている。このとき、基板載置部４２１の外面とＬＥＤ基板２６の他面（即ちＬＥＤ２５，２５，…が実装されていない面）とが接触しており、更に、基板載置部４２１及びＬＥＤ基板２６夫々の長手方向が互いに沿う。
【００５６】
基板載置部４２１の内面には、絶縁シート４３が、両面粘着テープ又は接着剤製等の接着層を介して、接着されている。このとき、基板載置部４２１及び絶縁シート４３夫々の長手方向が互いに沿う。
基板載置部４２１の前端部には、ヒートシンク４２の長手方向に並置された複数個の位置決め凸部４２３，４２３，…が突設されている。各位置決め凸部４２３の基板載置部４２１の前端部からの突出長さは、位置決め溝３５の深さ（即ち前後方向の長さ）よりも適宜に長い。また、各位置決め凸部４２３の厚み（即ち上下方向の長さ）は、位置決め溝３５の開口幅（即ち上下方向の長さ）よりも僅かに短い。
【００５７】
ＬＥＤユニットは、基板載置部４２１の外面、即ちＬＥＤ基板２６が載置されている面を上側に向け、基板載置部４２１の内面、即ち絶縁シート４３が接着されている面を下側に向け、更に、位置決め凸部４２３，４２３，…を前側に向けて、前キャビネット３１に後方から取り付けられる。
このとき、位置決め凸部４２３，４２３，…は、ＳＯＦ２７，２７，…間に配される。即ち、位置決め凸部４２３とＳＯＦ２７とが左右方向に交互に配される。この結果、各位置決め凸部４２３の左右方向の配置と各遮光凸部３４の左右方向の配置とは同一になる。
【００５８】
また、このとき、ヒートシンク４２の位置決め凸部４２３，４２３，…は、各位置決め凸部４２３の先端部が、前枠部３１１の位置決め溝３５の最奥部に当接するよう、位置決め溝３５へ挿入される。この結果、ヒートシンク４２は、上下方向及び前後方向に容易に位置決めされる。
【００５９】
ヒートシンク４２が正確に位置決めされた場合、ＬＥＤ２５，２５，…は、後述する導光板２３の下端面２３ｂに正確に対向配置される。また、ＬＥＤ基板２６の前側端部は、遮光シート４１の後面の下端部に接触する。更に、絶縁シート４３は、ヒートシンク４２とプリント基板２８，２８，…との間に介在する。
【００６０】
仮に、絶縁シート４３が存在しない場合、例えば表示装置１０に外力が加えられてプリント基板２８が振動し、ヒートシンク４２と接触することによって、短絡が生じる虞がある。しかしながら、絶縁シート４３がプリント基板２８とヒートシンク４２とを電気的に絶縁するため、短絡の発生が抑制される。
位置決めされたヒートシンク４２は、後述するように前キャビネット３１にビス留めされる。
本実施の形態では、表示装置１０が１枚の遮光シート４１を備える構成を説明している。しかしながら、表示装置１０は、例えば図１２に示すように、左右方向に並置された複数枚の遮光シート４１，４１，…を備える構成でもよい。
【００６１】
次に、図２及び図３を参照しつつ、バックライトの構成を説明する。
導光板２３は、矩形板状になしてあり、例えばアクリル樹脂を用いてなる。導光板２３の縦横の寸法は、表示パネル２１の縦横の寸法よりも大きい。
導光板２３は、導光板２３の少なくとも下端面２３ｂから導光板２３の内部に入射した光を、導光板２３の正面２３ａ及び背面から均一に出射する（即ち面発光する）。
下端面２３ｂは、本発明の実施の形態における一側端面として機能する。
【００６２】
反射シート２４は、導光板２３の背面に密着配置されている。反射シート２４の縦横の寸法は、導光板２３の縦横の寸法よりも大きい。このため、導光板２３の背面から出射した光は、確実に反射シート２４で反射し、再び導光板２３の内部に入射する。
【００６３】
ＬＥＤ２５，２５，…から放射された光は、直接的に、又は、反射シート２４及び遮光凸部３４等で反射することによって、導光板２３の下端面２３ｂから導光板２３の内部に入射する。導光板２３の内部に入射した光は、導光板２３の正面２３ａから出射する。正面２３ａから出射した光は、光学シート群２２による拡散及び集光等を経て、表示パネル２１の背面２１２から表示パネル２１の内部に入射する。この結果、表示パネル２１の表示面２１１が、均一に明るくなる。
【００６４】
バックライトシャーシ３６は、支持部３６１と取付部３６２とを有する。支持部３６１は矩形板状になしてある。支持部３６１には、支持部３６１の一面と反射シート２４の背面とを密着させて、導光板２３及び反射シート２４が取り付けられる。
【００６５】
バックライトシャーシ３６は、導光板２３の正面２３ａの中央部が光学シート群２２の背面に密着し、導光板２３の正面２３ａの周縁下辺部が遮光凸部３４，３４，…の先端面に密着するように、導光板２３及び反射シート２４を縦姿勢に保持した状態で、前キャビネット３１に後方から取り付けられる。このとき、バックライトシャーシ３６の取付部３６２は、ヒートシンク４２の筐体取付部４２２と共に、ビスＢ，Ｂ，…を用いて前キャビネット３１に共締めされる。以上の結果、導光板２３及び反射シート２４は、遮光凸部３４，３４，…とバックライトシャーシ３６とに挟持される。
バックライトシャーシ３６の背後は、後キャビネット３２によって覆われる。
【００６６】
次に、遮光シート４１の作用効果を説明する。
図１３及び図１４は、遮光シート４１の作用効果を説明するための凸部突設位置及び凸部非突設位置の縦断面図である。図１３及び図１４は図２及び図３に対応し、図１３及び図１４に示す表示装置１０の構成は、遮光シート４１を備えていない点を除けば、図２及び図３に示す表示装置１０の構成と同一である。
【００６７】
遮光シート４１の有無に拘らず、図２及び図１３に示すように、各遮光凸部３４の突設位置には、ＬＥＤ２５，２５，…側から表示パネル２１側へ光が通過し得る漏光空間が存在しない。何故ならば、遮光凸部３４，３４，…は、前キャビネット３１の前枠部３１１の内面から空間Ｓを貫いて導光板２３の正面２３ａの周縁下辺部まで突出することによって、前枠部３１１の内面から正面２３ａの周縁下辺部までの範囲を閉鎖しているからである。故に、ＬＥＤ２５，２５，…から放射された光は、直接的に、又は、反射シート２４及び遮光凸部３４等で反射することによって、導光板２３の下端面２３ｂから導光板２３の内部に入射する。このため、光漏れは生じない。
【００６８】
ところが、図１４に示すように、表示装置１０が遮光シート４１を備えていない場合、各遮光凸部３４の非突設位置には、漏光空間が存在する。故に、ＬＥＤ２５，２５，…から放射された光の内、導光板２３の内部に入射しなかった光が、ＳＯＦ２７の背面及び導光板２３の正面２３ａ等で反射することによって、表示パネル２１の背面２１２の周縁下辺部２１ａ、即ち背面２１２の光学シート群２２に覆われていない部分から表示パネル２１の内部に入射する。この結果、表示面２１１の下部における遮光凸部３４，３４，…の非突設位置に対応する部分が、この部分だけサーチライトで別途照明されたかように、他の部分よりも無用に明るくなる。この結果、表示面２１１に表示される映像の画質が劣化する。
【００６９】
一方、図３に示すように、表示装置１０が遮光シート４１を備えている場合、各遮光凸部３４の突設位置にも、漏光空間は存在しない。何故ならば、遮光シート４１が、表示パネル２１の周縁下辺部２１ａからＬＥＤ基板２６の前側端部までの空間Ｓを覆っているからである。故に、ＬＥＤ２５，２５，…から放射された光の内、導光板２３の内部に入射しなかった光は、遮光シート４１に遮蔽されるため、表示パネル２１の内部には入射しない。
たとえ、遮光シート４１が空間Ｓを覆っていなかったとしても、遮光シート４１は、表示パネル２１の背面２１２の周縁下辺部２１ａを覆っているため、背面２１２の光学シート群２２に覆われていない部分から表示パネル２１の内部に、無用な光が入射する虞はない。
【００７０】
以上のような表示装置１０においては、光漏れが抑制されるため、表示面２１１に表示される映像の画質が向上する。しかも、遮光シート４１を他部材（例えば表示パネル２１）に接着する必要がないため、両面粘着テープ又は接着剤製等の接着層が不要である分、遮光シート４１は薄型である。
なお、遮光シート４１が空間Ｓを覆わない構成の場合、遮光シート４１を表示パネル２１の背面２１２の周縁下辺部２１ａに接着する必要があり、遮光シート４１を接着する際には遮光シート４１の位置決めが必要である。また、表示パネル２１の下端面を介した光漏れは生じ難いが、念のために、表示パネル２１の下端面を別途遮光シートで覆うことが望ましい。
【００７１】
更に、遮光シート４１は、前キャビネット３１の周縁上辺部近傍にも備えられていてもよい。何故ならば、前キャビネット３１の周縁上辺部近傍にもＬＥＤ２５，２５，…及びＬＥＤ基板２６が配されている場合があるからである。このとき、遮光シート４１は、表示パネル２１の背面２１２の周縁上辺部を覆うが、周縁上辺部から周縁上辺部近傍のＬＥＤ基板２６の前側端部までの空間も覆うことが望ましい。また、前キャビネット３１の前枠部３１１の周縁上辺部の内面にも遮光凸部３４，３４，…が突設され、遮光シート４１が遮光凸部３４，３４，…に支持されることが望ましい。
【００７２】
更にまた、遮光シート４１は、前キャビネット３１の周縁左辺部近傍及び周縁右辺部近傍夫々にも備えられていてもよい。何故ならば、たとえ前キャビネット３１の周縁左辺部及び右辺部近傍にＬＥＤ２５，２５，…及びＬＥＤ基板２６が配されていない場合であっても、例えば導光板２３の下端面２３ｂ以外の端面から出射した光が前キャビネット３１の内部で反射することによって光漏れが生じ得るからである。このとき、遮光シート４１，４１は、表示パネル２１の背面２１２の周縁左辺部及び周縁右辺部を覆えばよい。ただし、この場合でも、前キャビネット３１の前枠部３１１の周縁上辺部及び右辺部夫々の内面にも遮光凸部３４，３４，…が突設され、各遮光シート４１が遮光凸部３４，３４，…に支持されることが望ましい。
【００７３】
実施の形態  ２．
本実施の形態における表示装置１０及びテレビ受像機１の構成は、各遮光凸部３４の構成及び遮光シート４１の構成を除けば、実施の形態１における表示装置１０及びテレビ受像機１の構成と同一である。以下では、実施の形態１，２の差異について説明し、その他、実施の形態１に対応する部分には同一符号を付してそれらの説明を省略する。
【００７４】
図１５は、本発明の実施の形態２に係る表示装置１０が備える前キャビネット３１の一部分の構成を示す拡大斜視図である。図１６は、表示装置１０が備える遮光凸部３４の一部分の構成を示す拡大斜視図であり、図１５に示す範囲Ａが拡大されている。図１５及び図１６の上下方向は、表示装置１０の前後方向である。
各遮光凸部３４には、遮光凸部３４の上面及び下面に、長手方向が左右方向に沿う溝状凹部３４１，３４２が設けられている。溝状凹部３４１は下方向に窪み、溝状凹部３４２は上方向に窪んでいる。従って、溝状凹部３４１，３４２は、遮光凸部３４の突設方向に交差する方向に窪んでいる。溝状凹部３４１，３４２は、本発明の実施の形態における凹部として機能する。
【００７５】
ここで、前キャビネット３１の製造について説明する。まず、前枠部３１１、突出枠部３１２、遮光凸部３４，３４，…及び各遮光凸部３４の溝状凹部３４１，３４２となすべき溝付き凸条部、並びに位置決め溝３５が、押出成形によって、一体に形成される。次いで、形成された溝付き凸条部を部分的に切削し、複数個に分割することによって、夫々に溝条凹部３４１，３４２が設けられた遮光凸部３４，３４，…が形成される。この結果、前キャビネット３１が製造される。
溝状凹部３４１，３４２が設けられていることを除けば、本実施の形態の各遮光凸部３４の寸法は、実施の形態１の各遮光凸部３４の寸法と同一である。
【００７６】
図１７は、表示装置１０が備える遮光シート４１の構成を示す背面図である。
図１８は、遮光シート４１の一部分の構成を示す拡大背面図である。
図１９は、遮光シート４１の挿入孔４１２の構成を示す拡大背面図である。
本実施の形態の遮光シート４１の構成は、実施の形態１の挿入孔４１１，４１１，…に替えて挿入孔４１２，４１２，…が設けられている点を除けば、実施の形態１の遮光シート４１の構成と同様である。
【００７７】
各挿入孔４１２の開口縁部の内、２本の長辺部（即ち上辺部及び下辺部）夫々には、短辺方向に沿って突出する三角爪状の係合部４１ａ，４１ａ，４１ｂ，４１ｂが設けられている。各係合部４１ａ，４１ｂは、遮光シート４１に一体に設けられている。挿入孔４１２の上辺部に配されている２個の係合部４１ａ，４１ａと下辺部に配されている２個の係合部４１ｂ，４１ｂとは、上下方向に対向配置されている。
４個の係合部４１ａ，４１ａ，４１ｂ，４１ｂが設けられていることを除けば、本実施の形態の各挿入孔４１２の寸法及び形成位置は、実施の形態１の各挿入孔４１１の寸法及び形成位置と同一である。
【００７８】
従って、挿入孔４１２の短辺方向の開口長さＢ１は、遮光凸部３４の上下方向の長さＢ０よりも僅かに長い。しかしながら、各係合部４１ａと、これに対向配置されている係合部４１ｂとの間の長さＢ２は、遮光凸部３４の上下方向の長さＢ０よりも十分に小さい。
溝状凹部３４１，３４２の深さは、係合部４１ａ，４１ｂの突出長さに対応する。
各係合部４１ａ，４１ｂは、外力が加えられると容易に撓み、外力が加えられなくなると、弾性力によって元の形状に容易に復元する。
【００７９】
このため、遮光凸部３４が挿入孔４１２に挿入されると、係合部４１ａ，４１ｂが遮光凸部３４に当接して撓み、溝状凹部３４１，３４２の形成位置で元の形状に復元する。この結果、係合部４１ａ，４１ｂが溝状凹部３４１，３４２に係脱可能に係合する。
【００８０】
挿入孔４１２，４１２，…に遮光凸部３４，３４，…が挿入され、且つ、各挿入孔４１２の係合部４１ａ，４１ａ，４１ｂ，４１ｂが、対応する遮光凸部３４の溝状凹部３４１，３４２に係合することによって、遮光シート４１は遮光凸部３４，３４，…に支持される。このとき、遮光シート４１に無用な外力が加えられたとしても、各係合部４１ａ，４１ｂと溝状凹部３４１，３４２との係合が無理矢理解除されない限り、遮光シート４１が遮光凸部３４，３４，…から脱落することはない。
【００８１】
しかも、各係合部４１ａ，４１ｂを溝状凹部３４１，３４２に係合させれば、遮光シート４１を別途位置決めする必要がない。このため、遮光シート４１の取付作業の作業性が向上する。
各係合部４１ａ，４１ｂと溝状凹部３４１，３４２とは係脱可能であるため、例えば表示装置１０の保守点検時に、遮光シート４１を容易に着脱することができる。
【００８２】
ところで、遮光シート４１の構成は、挿入孔４１１，４１１，…又は挿入孔４１２，４１２，…が設けられたものに限定されない。
図２０は、遮光シート４１の他の挿入孔４１３，４１３，…の構成を示す拡大背面図である。
各挿入孔４１３の形成位置は、各挿入孔４１２の形成位置と同一である。また、各挿入孔４１３の長辺方向の開口長さは、各挿入孔４１２の長辺方向の開口長さと同一である。
【００８３】
ただし、挿入孔４１３の短辺方向の開口長さＢ３は、前述の長さＢ２に等しい。即ち、挿入孔４１３の短辺方向の開口長さＢ３は、挿入孔４１１及び挿入孔４１２夫々の短辺方向の開口長さＢ１よりも短い。
また、挿入孔４１３の短辺部に沿って、上下方向に切れ込みが形成されている。切れ込みの上端から下端までの長さＢ４は、挿入孔４１２の短辺方向の開口長さＢ１に等しい。
この結果、挿入孔４１３の上下の長辺部４１ｃ，４１ｄが可撓性を有する。長辺部４１ｃ，４１ｄは、係合部４１ａ，４１ｂと同様に、本発明の実施の形態における係合部として機能する。
【００８４】
このため、遮光凸部３４が挿入孔４１３に挿入されると、長辺部４１ｃ，４１ｄが遮光凸部３４に当接して撓み、溝状凹部３４１，３４２の形成位置で元の形状に復元する。この結果、長辺部４１ｃ，４１ｄが溝状凹部３４１，３４２に係脱可能に係合する。
挿入孔４１３，４１３，…に遮光凸部３４，３４，…が挿入され、且つ、各挿入孔４１３の長辺部４１ｃ，４１ｄが、対応する遮光凸部３４の溝状凹部３４１，３４２に係合することによって、遮光シート４１は、遮光凸部３４，３４，…に支持される。
【００８５】
実施の形態  ３．
本実施の形態における表示装置１０及びテレビ受像機１の構成は、遮光凸部３４，３４，…が備えられていないこと、並びに、遮光シート４１及び絶縁シート４３に替えて、後述するシート部材４４が備えられていることを除けば、実施の形態１における表示装置１０及びテレビ受像機１の構成と同一である。以下では、実施の形態１，３の差異について説明し、その他、実施の形態１に対応する部分には同一符号を付してそれらの説明を省略する。
【００８６】
図２１及び図２２は、本発明の実施の形態３に係る表示装置１０の構成を模式的に示す縦断面図である。ただし、図２１は、位置決め凸部４２３が突設されている位置（即ち凸部突設位置）における断面を示し、図２２は、位置決め凸部４２３が突設されていない位置（即ち凸部非突設位置）における断面を示している。図２１及び図２２は、実施の形態１の図２及び図３に対応する。図２１及び図２２に示す矢符は、光の方向を表わしている。
図２３及び図２４は、前キャビネット３１の一部分の構成を示す拡大背面図及び拡大斜視図である。図２３及び図２４は、実施の形態１の図４及び図５に対応する。
【００８７】
図２１〜図２４に示すように、前キャビネット３１には、実施の形態１の遮光凸部３４，３４，…は備えられていない。
図２５及び図２６は、前キャビネット３１にパネルユニットを取り付けた状態を示す拡大背面図及び拡大斜視図である。図２５及び図２６には、図２３及び図２４に示す前キャビネット３１にパネルユニットが取り付けられた状態が示されている。図２６は、実施の形態１の図６に対応する。
図２１と図２２と図２５と図２６とに示すように、パネルユニットの構成、及び前キャビネット３１に対するパネルユニットの取り付けは、実施の形態１のそれらと同様である。
【００８８】
図２７は、ヒートシンク４２に対するシート部材４４の取り付けを説明するための拡大斜視図である。
図２８は、図２７に示すヒートシンク４２にシート部材４４を取り付けた状態を示す拡大斜視図である。
図２１と図２２と図２７と図２８とに示すように、ＬＥＤ２５，２５，…、ＬＥＤ基板２６、及びヒートシンク４２夫々の構成は、実施の形態１のこれらの構成と同様である。ここで、実施の形態３では、ＬＥＤ２５，２５，…、ＬＥＤ基板２６、ヒートシンク４２、及びシート部材４４のひとまとまりをＬＥＤ遮光ユニットという。即ち、図２８には、ＬＥＤ遮光ユニットが示されている。
【００８９】
シート部材４４は、縦断面形状がＬ字状になしてあり、Ｌ字の一側が絶縁シート４４１、他側が遮光シート４４２である。換言すれば、シート部材４４は、一体形成された絶縁シート４４１及び遮光シート４４２を用いてなる。
絶縁シート４４１の構成、及び作用効果は、前側の長辺部から遮光シート４４２が起ち上がっていることを除けば、実施の形態１の絶縁シート４３の構成、及び作用効果と同様である。
遮光シート４４２は、実施の形態１の遮光シート４１の下部が下方へ延設されて絶縁シート４４１と一体化したような形状である。また、挿入孔４１１，４１１，…に替えて、挿通孔４４３，４４３，…が、遮光シート４１の長手方向に並設されている。
【００９０】
挿通孔４４３，４４３，…の開口位置及び開口寸法は、ヒートシンク４２の位置決め凸部４２３，４２３，…の突設位置及び縦横の寸法に対応する。
遮光シート４４２は、表示パネル２１の背面２１２の周縁下辺部２１ａと、周縁下辺部２１ａからＬＥＤ基板２６の前側端部までの空間Ｓと、ＬＥＤ基板２６の前側端面と、ヒートシンク４２の基板載置部４２１の前端面（ただし位置決め凸部４２３，４２３，…の突設位置は除く）とを覆う。
【００９１】
シート部材４４は、遮光シート４４２の挿通孔４４３，４４３，…に位置決め凸部４２３，４２３，…を挿通させた状態で、絶縁シート４４１の上面を基板載置部４２１の下面に接着することによって、ヒートシンク４２に取り付けられる。
ヒートシンク４２は、本発明の実施の形態における放熱部材として機能する。
【００９２】
図２９は、前キャビネット３１に対するＬＥＤ遮光ユニットの取り付けを説明するための拡大斜視図ある。図２９には、図２６に示す前キャビネット３１に、図２８に示すＬＥＤ遮光ユニットが取り付けられる状態が示されている。
図３０及び図３１は、前キャビネット３１にＬＥＤ遮光ユニットを取り付けた状態を示す拡大背面図及び拡大斜視図ある。図３０には、図２５に示す前キャビネット３１に、ＬＥＤ遮光ユニットが取り付けられた状態が示されている。図３１には、図２６に示す前キャビネット３１に、図２８に示すＬＥＤ遮光ユニットが取り付けられた状態が示されている。
【００９３】
ＬＥＤ遮光ユニットは、実施の形態１のＬＥＤユニットと略同様に、前キャビネット３１に後方から取り付けられる。このとき、遮光シート４４２の前面の上端部が、表示パネル２１の背面２１２の周縁下辺部２１ａに接触する。
図２１及び図２２に示すように、表示装置１０が遮光凸部３４，３４，…を備えていない場合であっても、漏光空間は存在しない。何故ならば、遮光シート４４２が、表示パネル２１の周縁下辺部２１ａからＬＥＤ基板２６の前側端部までの空間Ｓを覆っているからである。故に、ＬＥＤ２５，２５，…から放射された光の内、導光板２３の内部に入射しなかった光は、遮光シート４４２に遮蔽されるため、表示パネル２１の内部には入射しない。
【００９４】
以上のような表示装置１０においても、実施の形態１と同様に光漏れが抑制されるため、表示面２１１に表示される映像の画質が向上する。しかも、遮光シート４４２それ自体を他部材（例えば表示パネル２１）に接着する必要がないため、遮光シート４４２は薄型である。更に、絶縁シート４４１が脱落しない限り、遮光シート４４２の脱落は生じ得ない。
また、挿通孔４４３，４４３，…に位置決め凸部４２３，４２３，…を挿通させれば、ヒートシンク４２に対するシート部材４４の位置決めは容易である。更に、位置決め凸部４２３，４２３，…を位置決め溝３５に挿入すれば、ＬＥＤ遮光ユニット、延いては遮光シート４４２の位置決めは容易である。
【００９５】
ところで、実施の形態１〜３では、表示装置１０が、受信部を備えるテレビ受像機１に適用されている場合を例示したが、これに限定されるものではない。本発明に係る表示装置は、受信部を備えていない電気機器、例えばパーソナルコンピュータ用のディスプレイに適用されてもよい。
【００９６】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビ受像機１又は表示装置１０に、実施の形態１〜３に開示されていない構成要素が含まれていてもよい。
【符号の説明】
【００９７】
１      テレビ受像機
１０    表示装置
１１    受信部
２１    表示パネル
２１１  表示面
２１２  背面
２１ａ  周縁下辺部（光源の側の周縁部）
２３    導光板
２３ａ  正面
２３ｂ  下端面（一側端面）
２５    ＬＥＤ（光源）
２６    ＬＥＤ基板（基板）
３１    前キャビネット（キャビネット）
３４    遮光凸部
３４１，３４２  溝状凹部（凹部）
４１  遮光シート
４１１，４１２，４１３  挿入孔
４１ａ，４１ｂ  係合部
４１ｃ，４１ｄ  長辺部（係合部）
４２  ヒートシンク（放熱部材）
４４１  絶縁シート
４４２  遮光シート
Ｓ    空間
【図１】
2013079992.tif 000003
【図２】
2013079992.tif 000004
【図３】
2013079992.tif 000005
【図４】
2013079992.tif 000006
【図５】
2013079992.tif 000007
【図６】
2013079992.tif 000008
【図７】
2013079992.tif 000009
【図８】
2013079992.tif 000010
【図９】
2013079992.tif 000011
【図１０】
2013079992.tif 000012
【図１１】
2013079992.tif 000013
【図１２】
2013079992.tif 000014
【図１３】
2013079992.tif 000015
【図１４】
2013079992.tif 000016
【図１５】
2013079992.tif 000017
【図１６】
2013079992.tif 000018
【図１７】
2013079992.tif 000019
【図１８】
2013079992.tif 000020
【図１９】
2013079992.tif 000021
【図２０】
2013079992.tif 000022
【図２１】
2013079992.tif 000023
【図２２】
2013079992.tif 000024
【図２３】
2013079992.tif 000025
【図２４】
2013079992.tif 000026
【図２５】
2013079992.tif 000027
【図２６】
2013079992.tif 000028
【図２７】
2013079992.tif 000029
【図２８】
2013079992.tif 000030
【図２９】
2013079992.tif 000031
【図３０】
2013079992.tif 000032
【図３１】
2013079992.tif 000033